(57)【要約】【課題】            床土濾材内において好気性バクテリアが十分繁殖し、かつ活性を確保し得るような蛍育成システムの構成を提供すること。【解決手段】        川蜷を繁殖させ、かつ蛍の幼虫を育成するための床土濾材、及び蛍の幼虫が這い上がることが出来る陸部をそれぞれ容器内に設け、当該床土濾材の内部を通貫すると共に、当該容器外に連通し、かつ水を浸出し得る水供給パイプを設けている蛍育成システムにおいて、当該水供給パイプ内を流通する水に対し、酸素貯留装置又は酸素発生装置によって、酸素貯留装置又は酸素発生装置から供給した酸素ガスを溶解させていることに基づく基づき、好気性バクテリアの活性によって容器内の水を浄化させることができる蛍育成システム。【選択図】          図１
2006280342.tif 000002
【特許請求の範囲】
【請求項１】
川蜷を繁殖させ、かつ蛍の幼虫を育成するための床土濾材、及び蛍の幼虫が這い上がることが出来る陸部をそれぞれ容器内に設け、当該床土濾材の内部を通貫すると共に、当該容器外に連通し、かつ水を浸出し得る水供給パイプを設けている蛍育成システムにおいて、当該水供給パイプ内を流通する水に対し、酸素貯留装置又は酸素発生装置によって、酸素貯留装置又は酸素発生装置から供給した酸素ガスを溶解させていることに基づく蛍育成システム。
【請求項２】
酸素貯留装置が酸素ボンベであることを特徴とする請求項１記載の蛍育成システム。
【請求項３】
酸素発生装置が水に対する電気分解装置であることを特徴とする請求項１記載の蛍育成システム。
【請求項４】
水供給タイプにおける容器の水の出口側から、入口側にフィードバックしており、かつ循環ポンプによって水を供給していることを特徴とする請求項１記載の蛍育成システム。
【請求項５】
酸素を溶解させた水を、水供給パイプから分留させたうえで、川蜷育成用床土濾材の上側から落下させることを特徴とする請求項１記載の蛍育成装置。
【請求項６】
酸素貯留装置又は酸素発生装置から発生した酸素を分流し、エアポンプによって容器の水面上側から容器内に供給することを特徴とする請求項１記載の蛍育成システム。
【請求項７】
加圧室内において、水供給パイプに供給される水と、酸素貯留装置又は酸素発生装置から供給される酸素とを共存させることによって、酸素を水中に溶解させることを特徴とする請求項１記載の蛍育成システム。
【請求項８】
床土濾材が珪砂、砕石、珊瑚砂、火山灰土焼結粒状体の全てを含有していることを特徴とする請求項１記載の蛍育成システム。
【請求項９】
床土濾材の最上層を珪砂、及び砕石とし、中間層を珊瑚砂とし、水供給パイプを埋設している最下層を火山灰土焼結粒状体としていることを特徴としている請求項１記載の蛍育成システム。
【発明の詳細な説明】
【技術分野】
【０００１】
本発明は、卵の孵化から、成虫に至るまでの、幼虫段階にある蛍を育成し、かつ、当該育成の状況を鑑賞し得る蛍の幼虫育成容器に関するものである。
【０００２】
蛍の幼虫は、水中において、川蜷等の貝類を栄養源としながら、水中にて成長し、その後、水中から陸上部に這い上がって成長と化すことが知られている。
【０００３】
蛍を育成するシステムにおいては、川蜷を繁殖させ、かつ蛍の幼虫を育成するための床土濾材、当該床土濾材の内側に水を産出し得る水供給パイプから水を進出させる床土濾材、及び蛍の幼虫が這い上がることができる陸部をそれぞれ容器内に設け、当該床土濾材の内部を通関すると共に、当該容器外に連通し、かつ水を浸出する水供給パイプを設けているが、通常前記陸部においては、苔・藻等を繁茂させることによって、前記這い上がり、及び蛍の幼虫の更なる育成に資するような配慮が行われている。
【０００４】
前記システムにおいて供給された水の有機物を除去することによって水質の調整を行っているが、当該有機物の除去には好気性バクテリアを床土濾材内に、十分繁殖させ得ることが好ましい。
【０００５】
然るに、従来の蛍育成システムにおいては、川蜷を安全な状態にて育成し得る発想が全く存在せず、かつ、このような要請に対応した構成はこれまで提唱されていない。
【０００６】
【特許文献１】特開平８−３２２４８２８号公報
【特許文献２】特開２００１−１７８３１０号公報
【特許文献３】特開２００１−２４２７８号公報
【特許文献４】特開２００３−２２５０３５号公報
【特許文献５】特開２００３−２１００６８号公報
【特許文献６】特開２００４−２２２７０４号公報
【発明の開示】
【発明が解決しようとする課題】
【０００７】
本発明は、床土濾材内において好気性バクテリアが十分繁殖し、かつ活性を確保し得るような蛍育成システムの構成を提供することを課題としている。
【課題を解決するための手段】
【０００８】
前記課題を解決するため、川蜷を繁殖させ、かつ蛍の幼虫を育成するための床土濾材、及び蛍の幼虫が這い上がることが出来る陸部をそれぞれ容器内に設け、当該床土濾材の内部を通貫すると共に、当該容器外に連通し、かつ水を浸出し得る水供給パイプを設けている蛍育成システムにおいて、当該水供給パイプ内を流通する水に対し、酸素貯留装置又は酸素発生装置によって、酸素貯留装置又は酸素発生装置から供給した酸素ガスを溶解させていることに基づく蛍育成システムからなる。
【発明の効果】
【０００９】
酸素が溶解している水を、床土濾材に供給することによって、濾材中の好気性バクテリアを十分繁殖させ、有機物の除去、分解を行うための活性を高揚させると共に、川蜷を安定した状態による繁殖を増大させ、ひいては蛍の十分な育成を保証し、単位面積当たりの容器内における蛍の育成の程度を上昇させることができる。
【発明を実施するための最良の形態】
【００１０】
図１は本発明の典型的な実施形態を示すが、床土濾材の内部に水供給パイプ２を容器の外側に連通させた状態にて設けている。
但し、水供給パイプは容器１に対し水を供給したのち、そのまま放流する方式と、容器１の水の出口から循環ポンプ５を介してフィードバックし、及び容器１の水の入口側から水を供給する場合の双方を採用することが可能であるが、経済性を考慮し、後者を採用する場合が多い（図１においては、フィードバックする部分を切断して表示しており、前記放流の場合と前記フィードバックの場合との双方が可能であることを図示している。）。
尚、水供給パイプ２は、浸出穴２１を介して水を浸出させているが、通常弾力性を有する支持部材２２によって、支持されている。
【００１１】
容器内１においては、床土濾材３とは別に、蛍の幼虫が這い上がるための陸部４を設けており、蛍の育成段階では、水供給パイプ２から算出した水は、陸部４の中途部位に水面を維持するような状態となっている。
【００１２】
このような蛍育成システムをベースとしたうえで、本発明においては、図１に示すように、供給される循環する水に対し、酸素貯留装置、又は酸素発生装置から供給した酸素を溶解させていることを特徴としている。
酸素貯留装置６としては、酸素ボンベを典型例として挙げることができ、酸素発生装置６としては、水に対する電気分解装置を典型例として挙げることができる（尚、図１においては、酸素ボンベによる酸素貯留装置６を図示しているが、たとえば電気分解装置による酸素発生装置６においても同じような位置に配することによって同様の機能を発生することができる。）。
【００１３】
酸素を溶解させた水が、床土濾材３を順次上昇した場合には、床土濾材３中に生息している好気性バクテリアが当該酸素を吸入することによって繁殖し、水中の有機物の除去に十分寄与することが可能となる。
即ち、床土濾材３における好気性バクテリアによる生化学上の浄化機能の上昇によって川蜷の更なる繁殖及び蛍の十分な育成を実現することができる。
【００１４】
発明者の経験によれば、１０平方メートル以上の床面積を維持している容器１における蛍の育成に、一日当たり５リットルの酸素ボンベ６から循環水に溶解した状態にて供給した場合には、川蜷の育成量が、酸素を供給しない場合に比し、約２倍程度であることが確認されている。
【００１５】
したがって、酸素の供給量が前記の場合よりも少ないとしても循環水に溶解した酸素を床土濾材３中に順次供給することによって、好気性バクテリアの活性を促し、更には川蜷の安全な繁殖を期待することができる。
【００１６】
床槌濾材３中において好気性バクテリアの作用において、有機物中の炭素は炭酸ガス（ＣＯ２）に変化し、窒素はアンモニア（ＮＨ３）に変化するが、アンモニアは通常好気性の硝化バクテリアとして一度亜硝酸に変化した後、更に硝酸に変化することになる。
このような過程において水に溶解した酸素は、床土濾材３中において費消され、床土濾材３内の上側に位置している水中においては、既に酸素の溶解量が十分ではない場合が生じ得る。
【００１７】
この点を考慮し、図１に示す実施形態においては、酸素が溶解している水によって床土濾材３を浄化させるだけではなく、水供給パイプ２から分流したパイプを通じて、床土濾材３の上方から、酸素が溶解しているシャワー水を落下させることによって、床土濾材３の上側の貯留している水に大量の酸素を溶存させることによって、上側に貯留している水においても床土濾材３の上側の水をも浄化させ、川蜷の更なる繁殖を実現させている。
前記実施形態に代えて、酸素貯留装置又は酸素発生装置から発生した酸素を分流し、エアポンプによって容器の水面上側から容器内に供給するような実施形態を採用可能であるが、供給した酸素によって確実に水を浄化する機能においては、図１に示すような実施形態のほうが優れている。
【００１８】
酸素貯留装置又は酸素発生装置６から循環している水に酸素を供給し、かつ溶解させるためには、図１に示すように、直接酸素貯留装置又は酸素発生装置から水供給パイプ２中に酸素を噴出させる構成だけではなく、図２に示すように、加圧室７内において、加圧ポンプ５によって循環する水と、酸素貯留装置又は酸素発生装置６から供する酸素とを共存させることによる実施形態もまた採用することができる（尚、図２においても、酸素貯留装置、又は酸素発生装置６として酸素ボンベによる酸素貯留装置の場合を示す。）。
【００１９】
前記実施形態の場合には、ボンベから噴出した酸素が、気泡を形成せずに循環水内に溶解させることができる点において優れている。
【００２０】
尚、図１及び図２の何れの実施形態においても、酸素貯留装置又は酸素発生装置６から供給される酸素の量は、供給口におけるバルブ（図示せず）によって調整されている。
【実施例】
【００２１】
床土濾材３は、それ自体濾過機能を有するとともに、好気性バクテリアが育成する場所を提供しているが、前記のように窒素が変化したアンモニアを硝化バクテリアによって亜硝酸から硝酸に変化させた場合、当該硝酸化による水の酸性化を防止し、アルカリ化されることが好ましい。
【００２２】
実施例の、床土濾材３においては、珪砂及び砕石３１、珊瑚砂３２、火山灰土焼結粒状体３３の全てを含有しているが、珪砂及び砕石３１は川蜷の育成に適合しており、珊瑚礁３２は前記のように硝化バクテリアによって変化した硝酸を中和し、弱アルカリ状態とすることに寄与しており、火山灰土焼結体３３はその内側に微細な隙間を有することによって好気性バクテリアの生息に適合している。
【００２３】
火山灰土焼結粒状体３３とは、火山灰土を焼結することによって、粒状とする素材を指しているが、当該素材は、火山灰土に水を加えて泥状としたうえで、振動状態、回転状態又は揺動状態のような運動状態としながら、１００℃以上の加熱を行いながら、水を蒸発させることによって製作することができる。
【００２４】
実施例において床土濾材３として好的な実施形態は、図３に示すように、床土濾材３の最上層を珪砂及び砕石３１とし、中間層を珊瑚砂３２とし、水供給パイプ２を埋設している最下層を火山灰土焼結粒状体３３としていることを特徴としている。
【００２５】
このような図３に示す実施例による床土濾材３の場合には、最下層の火山灰土焼結粒状体３３に生息している好気性バクテリアの分解作用を経たうえで、珊瑚砂３２において変化した硝酸に対する弱アルカリ化への中和作用を実現し、最上層に位置している珪砂及び砕石３１に生息している川蜷に浄化された水を供給することが可能となった。
【産業上の利用可能性】
【００２６】
本発明は、蛍育成産業の分野において広範囲に利用することができる。
【図面の簡単な説明】
【００２７】
【図１】本発明の基本的な実施形態を示す側断面図である。
【図２】酸素ボンベから噴出する酸素を水に溶解させる実施形態を示す側断面図である。
【図３】床土濾材の実施例のうち、好ましい実施形態構成を示す断面図である。
【符号の説明】
【００２８】
１  容器
２  水供給パイプ
２１  浸出穴
２２  支持部材
３  床土濾材
３１  珪砂及び砕石
３２  珊瑚砂
３３  火山灰土焼結粒状体
３４  砕石していない石
４  陸部
５  加圧ポンプ
６  酸素貯留装置又は酸素発生装置
７  加圧室
８  外部フィルター
９  シャワー水用フィルター
【図１】
2006280342.tif 000003
【図２】
2006280342.tif 000004
【図３】
2006280342.tif 000005